(57)【要約】【課題】組み立て作業性にすぐれ、回路基板が電磁波ノイズの影響を受けにくく、かつ、組み立て等の作業中に回路基板上の配線が破損する事故を防止することができ、信号伝送の性能と信頼性の高い電子機器取付用マウントベースを提供する。【解決手段】回路基板２の第２の面２ｂの側に、この面とは所定の間隔をおいて固定された金属製ベース１と、回路基板２の第１の面２ａの側に、この面とは所定の間隔を開けて固定されており、コネクタ５，５’が貫通する開口が設けられている導電性の電磁遮蔽パネル３とを有し、電磁遮蔽パネル３は、コネクタ５，５’に電子機器が接続された状態において、電磁遮蔽パネル３と電子機器との対向する面間に所定の間隔が開くこととなる位置に設ける。さらに、回路基板２は金属製ベース１と電磁遮蔽パネル３との間に面的に挟持する。【選択図】　　　図１
2004128172.tif 000002
【特許請求の範囲】
【請求項１】
第１の面に電子機器と接続可能なコネクタが実装された回路基板を、前記電子機器に取り付ける際に使用される電子機器取付用マウントベースであって、
前記回路基板の第１の面とは反対側の第２の面の側に、前記第２の面とは所定の間隔をおいて固定された金属製ベースと、
前記回路基板の第１の面の側に、前記第１の面とは所定の間隔を開けて固定されており、前記コネクタが貫通する開口が設けられている導電性の電磁遮蔽パネルと、
を有し、
前記電磁遮蔽パネルは、前記コネクタに前記電子機器が接続された状態において、前記電磁遮蔽パネルと前記電子機器との対向する面間に所定の間隔が開くこととなる位置に設けられていることを特徴とする電子機器取付用マウントベース。
【請求項２】
前記電磁遮蔽パネルは、上下両端部において、前記回路基板の上下両端部とともに前記金属製ベースに導電性の固定部材により固定されていることを特徴とする請求項１記載の電子機器取付用マウントベース。
【請求項３】
前記金属製ベースは、
前記回路基板が取り付けられる位置の中央部分に形成された凹みと、
前記凹みの上下両面に、前記回路基板の第２の面と平行となるように段差状に形成されたベース上下両面と、
を有し、
前記電磁遮蔽パネルは、
前記回路基板の第１の面と平行に形成されたパネル中央面と、
前記パネル中央面の少なくとも一対の対向する側辺に前記回路基板に向かって段差状に突出し、前記回路基板の第１の面と平行となるように形成されたパネル固定面と、
を有し、
前記電磁遮蔽パネルは、前記パネル固定面において、前記回路基板の端部を挟み込むように、前記金属製ベースの前記基板固定面に固定されていることを特徴とする請求項１記載の電子機器取付用マウントベース。
【発明の詳細な説明】
【０００１】
【発明の属する技術分野】
本発明は、小型制御機器等の電子機器を、電源供給又は信号授受等を行うための回路基板に取り付けるための電子機器取付用マウントベースに関する。
【０００２】
【従来の技術】
従来から、電源供給又は信号授受等を行うための回路基板に小型制御機器等の電子機器を取り付ける際に、回路基板と電子機器とがぐらついたり離れたりしないようにするため、電子機器取付用マウントベースが使用されている（例えば、特許文献１参照）。
【０００３】
図５は従来の電子機器取付用マウントベースの分解斜視図、図６は従来の電子機器取付用マウントベースの要部断面図、図７は従来の電子機器取付用マウントベースへの電子機器の取り付け状態を表す斜視図である。
【０００４】
図５〜７において、従来の電子機器取付用マウントベースは、回路基板２”が取り付けられる金属製ベース１”からなる。この回路基板２”には、電子機器６と接続可能なコネクタ５，５’が第１の面２”ａに実装されている。そして、電子機器６は、このコネクタ５，５’を通して、回路基板２”から電源供給を受け、又は回路基板２”との間で信号の授受を行う。
【０００５】
回路基板２”は、第１の面２”ａと反対側の第２の面２”ｂを金属製ベース１”の側に向けて、金属製ベース１”の前面の中央部に８本の固定ネジ４により上下両端部を固定される。金属製ベース１”の前面中央部の回路基板２”が取り付けられる位置には、後部すなわちベース後面１７が平らな凹みが形成されている。そして、当該凹みの上下両端は、２段の段差状に形成されており、このうち中央の段差面が基板固定面１６、前部の段差面が機器固定面１５とされている。回路基板２”の上下両端は、この基板固定面１６に支えられて、ベース後面１７とは一定の間隔をおいて取り付けられる。これにより、回路基板２”とベース後面１７とが接触して干渉し合わないように構成されている。
【０００６】
左右の基板固定面１６には、それぞれ４つづつ、基板固定用ネジ穴１３が貫通形成されている。また、回路基板２”の上下両端には、これらの基板固定用ネジ穴１３に対向する位置にＵ字状のネジ用切り欠き２１が形成されている。回路基板２”は、このネジ用切り欠き２１の上から基板固定用ネジ穴１３に固定ネジ４によりネジ止めにより固定される。
【０００７】
回路基板２”が基板固定面１５に固定された状態においては、回路基板２”の第１の面２”ａの前面に実装されたコネクタ５，５’以外の回路部品は、上下の機器固定面１５の高さよりも前方には突出しないように構成される。金属ベース１”の上下の機器固定面１５には、それぞれ複数の機器固定用ネジ穴１２が貫通形成されている。そして、電子機器６の上下両端は、この機器固定面１５の機器固定用ネジ穴１２に、機器固定ネジ６１でネジ止めにより固定される。このとき、電子機器６のコネクタ（図示せず）がコネクタ５又は５’と接続される。このように、電子機器６は機器固定面１５により担持されるため、回路基板２”の第１の面２”ａとは一定の間隔が保たれる。これにより、回路基板２”と電子機器６とが接触して干渉し合わないように構成されている。
【０００８】
【特許文献１】
特開平３−１３６３００号公報（図３，５，６，７，８）
【０００９】
【発明が解決しようとする課題】
しかしながら、上記従来の電子機器取付用マウントベースでは、まず、電子機器６を回路基板２”に脱着する際に、回路基板２”には負荷（外力）が加わる。そのため、電子機器６の脱着時に回路基板２”が金属製ベース１”から外れることのないよう、回路基板２”の固定強度を高くする必要がある。従って、必然的に回路基板２”を金属製ベースの基板固定面１６に固定するための固定ネジ２１が沢山必要であり、電子機器取付用マウントベースの組み立て作業性が悪い。
【００１０】
また、回路基板２”の配線は電子機器６に対して露出しているため、電子機器６から放射される電磁波の影響を受けやすくなり、回路基板２”の電磁波ノイズが大きくなる。特に、回路基板２”と電子機器６との間で電気信号を高速伝送させる場合には、電磁波ノイズにより信号の伝送が困難となる場合もある。
【００１１】
更に、電子機器取付用マウントベースの上面に回路基板２”が露出した構造であるため、電子機器６を回路基板に脱着する作業等の作業中に、誤って回路基板２”上の配線を傷つける事故が生じやすい。回路基板２”の配線が傷つけられると、信号の伝送が不能となる等の故障の原因となる。
【００１２】
そこで、本発明の目的は、組み立て作業性にすぐれ、回路基板が電磁波ノイズの影響を受けにくく、かつ、組み立て等の作業中に回路基板上の配線が破損する事故を防止することができ、信号伝送の性能と信頼性の高い電子機器取付用マウントベースを提供することにある。
【００１３】
【課題を解決するための手段】
本発明に係る電子機器取付用マウントベースは、第１の面に電子機器と接続可能なコネクタが実装された回路基板を、前記電子機器に取り付ける際に使用される電子機器取付用マウントベースであって、前記回路基板の第１の面とは反対側の第２の面の側に、前記第２の面とは所定の間隔をおいて固定された金属製ベースと、前記回路基板の第１の面の側に、前記第１の面とは所定の間隔を開けて固定されており、前記コネクタが貫通する開口が設けられている導電性の電磁遮蔽パネルと、を有し、前記電磁遮蔽パネルは、前記コネクタに前記電子機器が接続された状態において、前記電磁遮蔽パネルと前記電子機器との対向する面間に所定の間隔が開くこととなる位置に設けられていることを特徴とする。
【００１４】
これにより、電子機器の脱着時において、回路基板は電磁遮蔽パネルにより保護されるため、誤って回路基板に電子機器を当て、回路基板内の配線を破損する事故を防止することができる。
【００１５】
また、回路基板と電子機器との間に電磁遮蔽パネルを設けることにより、電子機器から放射される電磁波により回路基板に電磁波ノイズが発生することを抑えることができる。
【００１６】
また、本発明においては、前記電磁遮蔽パネルは、上下両端部において、前記回路基板の上下両端部とともに前記金属製ベースに導電性の固定部材により固定することができる。
【００１７】
これにより、回路基板及び電磁遮蔽パネルは、それぞれ、導電性の固定部材により金属製ベースに導通され、アースされるため、電子機器が放射する電磁波による電磁波ノイズがより発生しにくくなる。
ここで、固定部材としては、金属ネジや、電磁遮蔽パネルに形成した固定用突起等を使用することができる。
【００１８】
また、本発明においては、前記金属製ベースは、前記回路基板が取り付けられる位置の中央部分に形成された凹みと、前記凹みの側壁に、前記回路基板の第２の面と平行となるように段差状に形成されたベース側壁と、を有し、前記電磁遮蔽パネルは、前記回路基板の第１の面と平行に形成されたパネル中央面と、前記パネル中央面の少なくとも一対の対向する側辺に前記回路基板に向かって段差状に突出し、前記回路基板の第１の面と平行となるように形成されたパネル固定面と、を有し、前記電磁遮蔽パネルは、前記パネル固定面において、前記回路基板の端部を挟み込むように、前記金属製ベースの前記基板固定面に固定するように構成することができる。
【００１９】
この構成によれば、回路基板の側部は、金属製ベースの基板固定面の上に、電磁遮蔽パネルのパネル取付面によって挟み込まれるため、回路基板はパネル取付面により面的に押さえつけられ、取付強度が向上する。従って、一定の強度を保つために回路基板を金属製ベースに固定する固定部材の数を少なくすることができる。
【００２０】
【発明の実施の形態】
以下、本発明の一実施形態について、図面を参照しながら説明する。
【００２１】
（実施形態１）
図１は本発明の実施形態１に係る電子機器取付用マウントベースの分解斜視図、図２は本発明の実施形態１に係る電子機器取付用マウントベースの要部断面図である。
【００２２】
図１及び図２において、本実施形態に係る電子機器取付用マウントベースは、金属製ベース１の前面中央部に回路基板２が固定され、更に回路基板２の上方に金属製の電磁遮蔽パネル３が固定された構成を有している。
【００２３】
電子機器取付用マウントベースの第１の面２ａには、小型制御機器等の電子機器（図示せず）と接続可能なコネクタ５，５’が実装されており、この電子機器取付用マウントベースは、回路基板２を電子機器に取り付ける際に使用される。
【００２４】
回路基板２は、第１の面２ａとは反対側の第２の面２ｂの側が、金属製ベース１の上面に対向するように取り付けられている。回路基板２が取り付けられた金属製ベース１の前面には、凹みが形成されており、その凹みの後部であるベース後面１７は平らとなるように形成されている。また、凹みの上下両面壁は、２段の段差状に形成されており、その中央の段差面が基板固定面１６、前部の段差面が機器固定面１５とされている。回路基板２の第２の面２ｂの上下両面部は、基板固定面１６に担持された状態で固定される。そのため、回路基板２の第２の面２ｂと金属製ベース１のベース底面１７との間には、一定の間隔が保たれ、回路基板２上の配線や部品と金属製ベース１のベース底面１７とが接触しないように構成されている。従って、金属製ベース１と回路基板２との間の絶縁性は保たれる。
【００２５】
また、電磁遮蔽パネル３のパネル中央面３ａは、回路基板２の第１の面２ａに平行に形成されている。このパネル中央面３ａには、回路基板２に実装されたコネクタ５，５’と対向する位置のそれぞれに、開口部３１，３１’が形成されている。また、パネル中央面の上下両面辺には、回路基板２に向かって電磁遮蔽パネル３の上下両端部が突出するように段差が設けられており、この段差の突出した段差面であるパネル固定面３ｂは、回路基板２の第１の面２ａに平行となるように形成されている。
【００２６】
金属製ベース１の左右の基板固定面１６には、それぞれ３つづつ、基板固定用ネジ穴１３が貫通形成されている。また、回路基板２の左右側辺には、これらの基板固定用ネジ穴１３に対向する位置にＵ字状のネジ用切り欠き２１が形成されている。更に、電磁遮蔽パネル３の左右のパネル固定面３ｂにも、同じく、上記各基板固定用ネジ穴１３に対向する位置にＵ字状のネジ用切り欠き３２が形成されている。回路基板２は、基板固定面１６とパネル固定面３ｂとに挟持された状態で、このネジ用切り欠き２１及び３２の上から基板固定用ネジ穴１３に、金属製の固定ネジ４によりネジ止めにより固定される。そのため、回路基板２の上下両面部は、基板固定面１６とパネル固定面３ｂとに挟持され面的に押さえつけられた状態で固定されるため、回路基板２の金属製ベース１への固定強度は高くなる。従って、固定ネジ４の数は、上記従来のものに比べて少なくすることができる。
【００２７】
また、固定ネジ４は金属製であり、電磁遮蔽パネル３及び回路基板２と金属製ベース１とを電気的に接続する役目も果たしている。従って、電磁遮蔽パネル３及び回路基板２は、金属製ベース１にアースされるため、回路基板２は電磁ノイズの影響を受けにくくなる。
【００２８】
電磁遮蔽パネル３が金属製ベース１に固定された状態においては、回路基板２に実装されたコネクタ５，５’が、電磁遮蔽パネル３の開口部３１，３１’を貫通して上部に突出した状態となる（図２参照）。また、金属製パネル３の上下両面辺は段差状に形成されているために、パネル中央面３ａと回路基板２の第１の面との間には一定の間隔が保たれる。したがって、回路基板２上の配線や部品は、電磁遮蔽パネル３のパネル中央面３ａと接触しないため、両者間の絶縁性は保たれる。
【００２９】
また、回路基板２に電子機器を接続する場合には、電子機器を金属製ベース１の機器固定面１５に固定するとともに、電磁遮蔽パネル３の上方から電子機器をコネクタ５，５’に接続する。即ち、電子機器と回路基板２との間には電磁遮蔽パネル３が介在することとなる。このため、電磁気機から放射される不要電磁波は、電磁遮蔽パネル３により遮蔽されるため、回路基板２に電磁ノイズが生じることが防止される。
【００３０】
また、電磁遮蔽パネル３は金属製ベース１に固定された状態においては、電磁遮蔽パネル３のパネル中央面３ａは、金属製ベース１の上下の機器固定面１５よりも前方に突出しないように形成されている。そのため、電磁遮蔽ベース３が電子機器と干渉することも防止されている。
【００３１】
更に、回路基板２は電磁遮蔽パネル３に覆われて保護されているため、電子機器の取付等の作業時に、作業者が誤って回路基板２の部品や配線を破損することが防止される。従って、電子機器取付用マウントの信頼性は向上する。
【００３２】
（実施形態２）
図３は本発明の実施形態２に係る電子機器取付用マウントベースの分解斜視図、図４は本発明の実施形態２に係る電子機器取付用マウントベースの要部断面図である。
【００３３】
図３及び図４において、固定ネジ４、コネクタ５，５’、機器固定面１５、基板固定面１６、ベース底面１７、及び開口部３１，３１’は、実施形態１において説明したものと同様であるため、説明は省略する。
【００３４】
本実施形態においては、本実施形態に係る金属製ベース１’の上側の基板固定面１６には、実施形態１と同様に基板固定用ネジ穴１３が形成されているが、下側の基板固定面１６には基板固定用ネジ穴１３は設けられていない代わりに、３つのパネル差込み用抜き穴１４が形成されている。また、回路基板２’の上側辺には、実施形態１と同様にネジ用切り欠き２１が設けられているが、下側辺にはネジ用切り欠き２１は設けられていない。更に、本実施形態に係る電磁遮蔽パネル３’の上側辺には、実施形態１と同様にネジ用切り欠き３２が設けられているが、下側辺にはネジ用切り欠き３２は設けられていない代わりに、パネル差込み用抜き穴１４に嵌合可能な突起３３が形成されている。
【００３５】
本実施形態に係る電子機器取付用マウントベースを組み立てる際には、まず、金属製ベース１’の前面中央の凹みに回路基板２’を嵌め込み、基板固定面１６上に回路基板２’の上下両面部を担持させる。その上から、電磁遮蔽パネル３’を取り付ける。この際、まず、突起３３をパネル差込用抜き穴４４に差し込んでから、電磁遮蔽パネル３’を金属製ベース１’の前面中央の凹みに回路基板２’の上から嵌め込む。そして、最後に、ネジ用切り欠き２１及び３２の上から基板固定用ネジ穴１３に、金属製の固定ネジ４をネジ止めすることにより固定する。
【００３６】
このように、本実施形態においては、ネジ止めを行う箇所が更に少なくなり、電子機器取付用マウントベースの組み立て作業時の作業効率が向上する。また、回路基板２’の上下両面部は、電磁遮蔽パネル３’により挟持されるため、実施形態１と同様、固定強度は高く保たれる。
【００３７】
【発明の効果】
以上のように、本発明によれば、回路基板が電磁遮蔽パネルによって保護された構成としたことにより、回路基板内の配線を破損する事故を防止することができ、電子機器取付用マウントベースの信頼性を向上させることができる。
【００３８】
また、回路基板と電子機器との間に電磁遮蔽パネルを設けることにより、回路基板に電磁波ノイズが発生することを抑えることができるため、回路基板の動作上の信頼性を高めることができる。また、電子機器と回路基板との間の信号伝送の性能を向上させることができる。従って、信号の高速伝送の信頼性も向上する。
【００３９】
また、電磁遮蔽パネルを回路基板とともに、導電性の固定部材で金属製ベースに固定することにより、電子機器が放射する電磁波による電磁波ノイズがより発生しにくくなり、より信号伝送の性能等を向上させることができる。
【００４０】
更に、回路基板の端部を、金属製ベースと電磁遮蔽パネルとで挟持し面的に固定することで、回路基板の固定強度が高まり、回路基板を金属製ベースに固定する固定部材の数を少なくすることができる。そのため、組み立て作業が容易となり、製造コストも低廉となる。
【図面の簡単な説明】
【図１】本発明の実施形態１に係る電子機器取付用マウントベースの分解斜視図である。
【図２】本発明の実施形態１に係る電子機器取付用マウントベースの要部断面図である。
【図３】本発明の実施形態２に係る電子機器取付用マウントベースの分解斜視図である。
【図４】本発明の実施形態２に係る電子機器取付用マウントベースの要部断面図である。
【図５】従来の電子機器取付用マウントベースの分解斜視図である。
【図６】従来の電子機器取付用マウントベースの要部断面図である。
【図７】従来の電子機器取付用マウントベースへの電子機器の取り付け状態を表す斜視図である。
【符号の説明】
１　金属製ベース
２　回路基板
２ａ　第１の面
２ｂ　第２の面
３　電磁遮蔽パネル
３ａ　パネル中央面
３ｂ　パネル固定面
４　固定ネジ
５，５’　コネクタ
１３　基板固定用ネジ穴
１４　パネル差込み用抜き穴
１５　機器固定面
１６　基板固定面
１７　ベース底面
２１　ネジ用切り欠き
３１，３１’　開口部
３２　ネジ用切り欠き
３３　突起
【図１】
2004128172.tif 000003
【図２】
2004128172.tif 000004
【図３】
2004128172.tif 000005
【図４】
2004128172.tif 000006
【図５】
2004128172.tif 000007
【図６】
2004128172.tif 000008
【図７】
2004128172.tif 000009